(57)【特許請求の範囲】
【請求項１】
茶畝を跨いで走行する走行機ユニットと、この走行機ユニットに搭載され、摘採作業または剪枝作業を行う茶刈機ユニットと、この茶刈機ユニットの後方に設けられるコンテナ型の収容部と、摘採茶葉や剪除枝幹を茶刈機ユニットから収容部の上方まで上昇移送する中継移送装置とを具え、作業目的に応じて摘採機ユニットまたは剪枝機ユニットのいずれか一方を茶刈機ユニットとして取り付け、いずれの作業をも選択的に行えるように構成された装置において、前記茶刈機ユニットとしてロータリー型の刈刃を具えた剪枝機ユニットが選択される場合には、前記収容部におけるコンテナを、剪枝作業時には収容部の上部まで上昇移送されてきた剪除枝幹をコンテナの内部を通って吐出口まで送り、更に畝間スペース上に至る移送路を形成するように構成され、更に前記剪枝機ユニットにおける刈刃の上方後方側に、ファンからの送風を刈刃長手方向全域にわたって刈刃の後方側に吹き出す送風管を具えることにより、前記中継移送装置に向かう送り込み風を供給するように構成されることを特徴とする茶畝跨走型茶刈装置。
【請求項２】
前記送風管はチャンバであり、このチャンバは刈刃の後方に位置する案内胴上に配され、且つ、これらチャンバと案内胴とは、案内胴の上面に形成した通気口を通じて連通状態とされるものであり、この通気口を案内胴の長手方向に沿って複数形成するとともに、個々の通気口に対しては導風板及び風向板を具えたことを特徴とする請求項１記載の茶畝跨走型茶刈装置。
【請求項３】
前記案内胴に形成された通気口は、案内胴の長手方向中心部から両端部に向かって先細り状態に形成したものであることを特徴とする請求項２記載の茶畝跨走型茶刈装置。
【請求項４】
前記チャンバは、案内胴の長手方向中心部において二室に分割されるものであり、これら個々のチャンバに対してそれぞれファンからの送風を供給することを特徴とする請求項２または３記載の茶畝跨走型茶刈装置。
【発明の詳細な説明】
【０００１】
【発明の属する技術分野】
本発明は茶畝跨走型茶刈装置に関するものであって、特に茶刈機ユニットとしてロータリー型剪枝機を装着した場合の剪除枝幹の送り込み構造に係るものである。
【０００２】
【発明の背景】
比較的大規模な茶園において摘採作業や剪枝作業等の茶刈作業を行うにあたっては、一挙に大量の刈取茶を収容し得る茶刈装置が適用されることが多い。このような茶刈装置としては、作業者が直接茶刈装置上に乗って作業を行う乗用タイプのものが一般に普及している。このものは通常、茶畝を跨ぐように走行する走行機ユニットに対して、実質的に茶刈り作業を行う適宜の茶刈機ユニットが取り付けられている。また茶刈機ユニットの後方には、大量の摘採茶葉を収容し得るとともに、摘採茶葉をより容易にトラック荷台に排出できるようにしたコンテナ型の収容部が構成されることが多い。
【０００３】
ところで前記茶刈作業のうち、茶樹の枝幹を剪除する剪枝作業を行うにあたっては、通常、剪除した枝幹を畝間スペース等に落下させたまま放置して施肥効果の一部としたり、畑地管理としての表土に供することが一般的である。そして上述した乗用型の茶刈装置によってこのような剪枝作業を行うには、まず茶刈機ユニットとして剪枝機ユニットを取り付けるのはもちろんのこと、コンテナ型の収容部に剪除枝幹を畝間スペースへと落下させるためのダクトを具えるものである。すなわち剪枝機ユニットにより剪除された枝幹は、中継移送装置によっていったん上昇移送された後、ダクト内を通って畝間スペースまで至り、廃棄されるものであった。
【０００４】
このようにコンテナ型の収容部を具えた乗用型の茶刈装置は、構成部材を適宜取り替えることにより、摘採作業と剪枝作業との双方が行える点で、相応の評価が得られるものの、以下に示すような改善の余地も残されていた。
すなわち、従来より茶刈り作業の摘採及び剪枝を行う刈刃としては、図７に示すいわゆるバリカン型のものと、図８に示すいわゆるロータリー型のものとがあり、既存の茶刈機ユニットは主にこれらいずれかの型の刈刃を適用して構成されている。そして特に前記ロータリー型の刈刃を用いた場合には、茶樹の刈り跡が綺麗に仕上がるため、摘採作業をバリカン刃型の刈刃で行い、その後の剪枝作業をロータリー型の刈刃で行いたいという要請が茶農家等から成され始めている。
【０００５】
ところでバリカン刃型の刈刃を適用した剪枝機ユニット３Ｂは、刈刃の前方に分風管３８を具えるものであり、刈刃３０前方からの送風によって剪除枝幹Ａを刈刃３０後方に送り込むものである。一方、ロータリー型の刈刃を適用した剪枝機ユニット３Ａ′は、ロータリー刃３０Ａ′が邪魔になるため刈刃前方からの送風によって剪除枝幹Ａをロータリー刃３０Ａ′の後方に送り込むことができない。
このため、図８に示すようにファンからの送風を、案内胴３３′内において剪枝機ユニット３Ａ′の中心部付近から両端部に向けて送ることにより、剪除枝幹Ａを剪枝機ユニット３Ａ′の両側から畝間スペースＳに落下させる構造が採られている。しかし、このような剪除枝幹Ａの移送形態は、走行装置２１′上等に剪除枝幹Ａが堆積してしまうため好ましい形態とはいえなかった。もとより上述した乗用型の茶刈装置は、バリカン型の剪枝機ユニット３Ｂを搭載した場合には、剪除枝幹Ａを中継移送装置５によっていったん上昇移送させた後、ダクト内を通して畝間スペースＳに送り込むことのできる構造を有し、走行装置２１上等に剪除枝幹Ａが堆積してしまうことを回避することができるものである。このように、上記剪除枝幹Ａを剪枝機ユニット３Ａの両側から畝間スペースＳに落下させるといった手法は、装置全体の持つ機能を十分に活かした合理的なものとはいえなかった。
【０００６】
【開発を試みた技術的課題】
本発明はこのような背景を認識してなされたものであって、ロータリー型の刈刃を適用した剪枝機ユニットを具えた茶畝跨走型茶刈装置において、従来行われることのなかった剪除枝幹を刈刃後方に送り込むことを可能とし、剪枝機ユニットの後方に位置する中継移送装置によっていったん上昇移送させた後、ダクト内を通して畝間スペースに送り込むことのできる、新規な茶畝跨走型茶刈装置の開発を試みたものである。
【０００７】
【課題を解決するための手段】
すなわち請求項１記載の茶畝跨走型茶刈装置は、茶畝を跨いで走行する走行機ユニットと、この走行機ユニットに搭載され、摘採作業または剪枝作業を行う茶刈機ユニットと、この茶刈機ユニットの後方に設けられるコンテナ型の収容部と、摘採茶葉や剪除枝幹を茶刈機ユニットから収容部の上方まで上昇移送する中継移送装置とを具え、作業目的に応じて摘採機ユニットまたは剪枝機ユニットのいずれか一方を茶刈機ユニットとして取り付け、いずれの作業をも選択的に行えるように構成された装置において、前記茶刈機ユニットとしてロータリー型の刈刃を具えた剪枝機ユニットが選択される場合には、前記収容部におけるコンテナを、剪枝作業時には収容部の上部まで上昇移送されてきた剪除枝幹をコンテナの内部を通って吐出口まで送り、更に畝間スペース上に至る移送路を形成するように構成され、更に前記剪枝機ユニットにおける刈刃の上方後方側に、ファンからの送風を刈刃長手方向全域にわたって刈刃の後方側に吹き出す送風管を具えることにより、前記中継移送装置に向かう送り込み風を供給するように構成されることを特徴として成るものである。
この発明によれば、剪除枝幹を刈刃後方に送り込むことにより、刈刃の後方に位置する中継移送装置によっていったん上昇移送させた後、ダクト内を通して畝間スペースに送り込むことができるため装置全体の持つ機能を活かし、走行装置上等に剪除枝幹が堆積してしまうことを回避することができる。
【０００８】
また請求項２記載の茶畝跨走型茶刈装置は、前記要件に加え、前記送風管はチャンバであり、このチャンバは刈刃の後方に位置する案内胴上に配され、且つ、これらチャンバと案内胴とは、案内胴の上面に形成した通気口を通じて連通状態とされるものであり、この通気口を案内胴の長手方向に沿って複数形成するとともに、個々の通気口に対しては導風板及び風向板を具えたことを特徴として成るものである。
この発明によれば、刈刃の後方全域に対する送風量を均一にすることができ、剪除枝幹の後方への送り込みを円滑に行うことができる。
【０００９】
更にまた請求項３記載の茶畝跨走型茶刈装置は、前記請求項２記載の要件に加え、前記案内胴に形成された通気口は、案内胴の長手方向中心部から両端部に向かって先細り状態に形成したものであることを特徴として成るものである。
この発明によれば、刈刃の後方全域に対する送風をよりいっそう均一にすることができ、剪除枝幹の後方への送り込みを更に円滑に行うことができる。
【００１０】
更にまた請求項４記載の茶畝跨走型茶刈装置は、前記請求項２または３記載の要件に加え、前記チャンバは、案内胴の長手方向中心部において二室に分割されるものであり、これら個々のチャンバに対してそれぞれファンからの送風を供給することを特徴として成るものである。
この発明によれば、チャンバ内での送風の流れを単純化することにより、個々の通気口への送風供給を確実且つ円滑に行うことができ、剪除枝幹の後方への送り込みを更に円滑に行うことができる。
そしてこれら各請求項記載の発明の構成を手段として前記課題の解決が図られる。
【００１１】
【発明の実施の形態】
以下本発明の茶畝跨走型茶刈装置について図示の実施の形態に基づいて説明する。
前記茶畝跨走型茶刈装置１は、一例として図１〜３に示すように、茶畝Ｔを跨ぐように走行する走行機ユニット２と、この走行機ユニット２によって支持される茶刈機ユニット３と、この茶刈機ユニット３の後方に設けられ摘採茶葉を収容するコンテナ型の収容部４と、茶刈機ユニット３から収容部４まで刈取茶Ａを移送する中継移送装置５とを主要部材として具えて成る。
【００１２】
そして前記茶刈機ユニット３を適宜取り替えることによって剪枝作業または摘採作業が選択的に行えるようにしたものであり、剪枝作業を行う際には茶刈機ユニット３として剪枝機ユニット３Ａを取り付け、中継移送装置５によって収容部４の上部まで上昇移送されてきた剪除枝幹Ａを畝間スペースＳまで移送し廃棄するものである。一方、摘採作業を行う際には、茶刈機ユニット３として摘採機ユニット３Ｂを取り付け、中継移送装置５によって収容部４の上部まで上昇移送されてきた摘採茶葉を、ほぼ自然落下させてコンテナ４１内に収容するものである。
【００１３】
このように本明細書中において、茶刈機ユニット３とは、樹形を整え樹勢の回復を図るため枝幹を剪除する剪枝機ユニット３Ａと、茶葉の摘採を行う摘採機ユニット３Ｂとを総称するものとする。また本明細書中に記載する刈取茶Ａとは、摘採茶葉と剪除枝幹との双方を総称するものである（符号は、剪除枝幹にも刈取茶と同じＡを用いて示す）。
【００１４】
まず前記走行機ユニット２について概略を説明する。この走行機ユニット２は、茶畝Ｔを跨いで走行できるようにするために走行方向から見てほぼ門形を成すフレーム２０を機枠部材とする。このフレーム２０は畝間スペースＳ上に立ち上がるように位置する左右の脚部フレーム２０Ａと、その脚部フレーム２０Ａの上端を水平に結ぶような上部フレーム２０Ｂと、更に脚部フレーム２０Ａに対し昇降自在に取り付けられる昇降フレーム２０Ｃとを具えて成る。そして前記脚部フレーム２０Ａの下端には一例としてクローラを適用した走行装置２１を設ける。もちろんこの走行装置２１は、このようなクローラに限らず、畝間スペースＳの畑地を過剰に押し付けないような空気タイヤ、あるいは双方を適用した形態（例えば前側に空気タイヤ、後側にクローラを適用した形態）等が適宜採り得る。
【００１５】
更に前記上部フレーム２０Ｂの上部には茶刈装置に乗車した作業者が座る操縦席２５や、この操縦のためのコントロールボックス２６を設けるものである。そして操縦席２５の側傍には、例えばディーゼルエンジン等を適用した原動機２２を搭載するものであり、一例としてこの原動機２２により図示を省略する油圧ポンプを駆動し、この油圧ポンプにより供給される作動油により前記走行装置２１の駆動や茶刈機ユニット３における刈刃３０の駆動、更には前記昇降フレーム２０Ｃの昇降シフトのためのシリンダ（図示略）の駆動を行う。
更に茶刈機ユニット３によって刈った刈取茶Ａを風送するためのファン２３を前記上部フレーム２０Ｂ上に設けるものであって、このものは一例として直接原動機２２の回転により駆動される。そしてファン２３からは送風ダクト２４を介して圧力風が茶刈機ユニット３側に供給される。なおこの送風ダクト２４は、後述する茶刈機ユニット３が茶畝Ｔに応じて適宜の高さに設定されることから、その位置の変化に対応できるようにすべく、一部がフレキシブルダクトや入れ子状のダクトによって構成される。
また前記原動機２２の回転により駆動されるファン２７を、上部フレーム２０Ｂ上の側部側にも具えるものであり、このものは図２に示すように、前記ファン２３が刈取茶Ａを中継移送装置５まで風送する送り込み風Ｗの供給源となるのに対して、中継移送装置５以降の刈取茶Ａの風送を担うものである。従ってファン２７によって生起した圧力風は、適宜のダクトを通じて中継移送装置５の下部に供給される。
【００１６】
次に茶刈機ユニット３について説明すると、このものは茶葉の摘採や枝幹の剪除を行うものであり、上述したように仕様に応じて剪枝機ユニット３Ａまたは摘採機ユニット３Ｂが用意される。
まず前記剪枝機ユニット３Ａについて説明すると、このものは図４に示すようにらせん状に形成した板材のエッジ部分に刃を付したロータリー刃３０Ａが回転して枝幹を送り込み、後述する案内フレーム３２に付した受け刃３０ａとの挟切作用によって刈り取りを行ういわゆるロータリー型のものが適用される。
【００１７】
前記ロータリー刃３０Ａは正面視で偏平なアーチ状に湾曲した矩形状の案内フレーム３２に対し軸受け３４を用いて取り付けられるものであり、この実施の形態では四基のロータリー刃３０Ａを具えるものとし、更にそのうちの二基ずつがジョイント３５によって連動するように構成するとともに、二基一対のロータリー刃３０Ａ二群を、それぞれ一対のオイルモータ３６及び減速機３７を用いて駆動するように構成した。
もちろん四基のロータリー刃３０Ａを一括して、一基の駆動原によって駆動するようにしてもよく、この場合には図４中の軸受け３４はジョイント３５に置き換えられる。
【００１８】
そして前記案内フレーム３２の後方側を取り囲むようにトンネル状の案内胴３３が設けられ、この案内胴３３の後方には、後述する中継移送装置５の受入口５１ａが位置することとなる。
【００１９】
そして前記ロータリー刃３０Ａの上方後方側、一例として前記案内胴３３上にファン２３からの送風を、ロータリー刃３０Ａの長手方向全域にわたって後方側に送り込み風Ｗとして吹き出すように構成した送風管の一例であるチャンバ３１を具えるものである。
これらチャンバ３１と案内胴３３とは、案内胴３３の上面に形成した通気口３１１を通じて連通状態とされるものであり、この通気口３１１は案内胴３３の長手方向に沿って複数が形成される。
【００２０】
更に個々の通気口３１１に対しては、図５に示すように導風板３１２及び風向板３１３を具えるものであり、導風板３１２によってチャンバ３１の長手方向に流れる風流を分流するとともに、その流れ方向を風向板３１３によって後方側に変換して送り込み風Ｗとするものである。従って前記導風板３１２は案内胴３３の上面に対して取り付けられるものであり、通気口３０１に覆い被さるように、チャンバ３１の前面中央部付近に開口した給気口３１４側に前傾した状態で設置される。
この実施の形態では案内胴３３の長手方向の中心部側から二番目及び三番目の通気口３１１に対してそれぞれ二枚の導風板３１２を設置したが、その設置個所及び数に関してはファン２３の能力等に応じて適宜選択し得るものである。また前記風向板３１３は平面視での通気口３１１の前方辺に対して後傾状態に設置されるものであり、その長さ及び後傾角度に関してはファン２３の能力等に応じて適宜選択し得るものである。
【００２１】
またこの実施の形態では、前記案内胴３３に形成した通気口３１１の形状を、案内胴３３の長手方向中心部から両端部に向かって先細り状態となるようにするものであり、図５（ａ）の平面図に示す実施の形態では、上底が端部側となる台形状とした。通気口３１１の形状はこの他にも、図６に示すように台形の任意の二辺を曲線状としたものや、三角形状等とすることもできる。
【００２２】
更に前記チャンバ３１を案内胴３３の長手方向中心部において二室に分割するものであり、これら個々のチャンバ３１Ｌ、３１Ｒに対してそれぞれホース３１５を接続し、ファン２３からの送風を個別に供給するように構成した。もちろんこのようなチャンバ３１の分割を行わずに、チャンバ３１における長手方向中心部一カ所にファン２３からの送風を供給するようにしてもよい。
またこの実施の形態では、ロータリー刃３０Ａの長手方向全域にわたって後方側に送り込み風Ｗとして吹き出すように構成した送風管としてチャンバ３１を採用したが、後述するバリカン刃３０Ｂを適用した剪枝機ユニット３Ｂに具える分風管３８と同様のものを刈刃３０Ａの上方後方側に具える様にしてもよい。但しこの場合には、吹出管３８ａの長さ及び吹出口３８ｂの指向方向等を、前記送り込み風Ｗを吹き出すように設定する必要があり、剪枝機ユニット３Ｂに具えるものとは細部において異なった形状となる。
【００２３】
茶刈機ユニット３のうち剪枝機ユニット３Ａは一例として上述したような構造を有するものであり、剪枝作業時にはファン２３によって生起された送風が給気口３１４に接続されたホース３１５を通じてチャンバ３１内を通過し、更に案内胴３３内に供給され、刈取茶Ａを後方に送り込むものである。
【００２４】
一方、前記摘採機ユニット３Ｂは、このものは図７に示す様に、二枚の上下一対に組み合わせた長杆状の部材に多数の歯を形成し、これらを往復摺動させることによって、刈り取りを行ういわゆるバリカン刃３０Ｂを主要部材とする。そしてバリカン刃３０Ｂの前側上方には多数の吹出管３８ａを有する分風管３８を有するものであり、この分風管３８はバリカン刃３０Ｂの長手方向全域にわたる管路に対して吹出管３８ａを複数具え、この吹出管３８ａの先端部に形成した吹出口３８ｂをバリカン刃３０Ｂ側に指向するように形成したものである。
摘採機ユニット３Ｂにおいてはバリカン刃３０Ｂの上方空間が広く空いているため、茶刈作業時には、分風管３８から前記ファン２３によって生起された送風を分風してバリカン刃３０Ｂの前方から送り込み風Ｗとして供給して、刈取茶Ａを後方に送り込むことができるものである。
【００２５】
なお前記ロータリー刃３０Ａまたはバリカン刃３０Ｂの駆動にあたっては、前述したように走行機ユニット２に搭載された原動機２２によって駆動される油圧を受けてオイルモータ３６により駆動することが望ましいが、別途設けた専用のエンジンによって駆動することもできる。
【００２６】
以上のように構成される茶刈機ユニット３は、前記昇降フレーム２０Ｃに対し取り付けられることによって昇降動され、実質的な刈り取り作用高さが調整される。なお茶刈機ユニット３を着脱自在に取り付ける昇降フレーム２０Ｃには、適宜のコロが設けられ、このものが脚部フレーム２０Ａに沿って転接するように構成され、茶刈機ユニット３、収容部４、中継移送装置５を全体的にチェーン等により吊持した状態で昇降動するものである。
【００２７】
次に収容部４について説明する。このものは摘採作業時に収穫された摘採茶葉を収容する部位であり、この実施の形態においては上方が開口されたコンテナ４１を主要部材として構成されるものであって、このコンテナ４１の上方に受入開口４１ａを形成する。そしてコンテナ４１は、一例として３５０ｋｇ程度の大量の摘採茶葉を収容し得るものであり、図１、２、３に示すように、コンテナフレーム４２を骨格部材とし、その内側に複数の通気孔を穿設した金属パネル４３を張設して成り、積層状態に収容される摘採茶葉の通気性を確保している。
【００２８】
因みにこの実施の形態では、上部パネルの側面部分を着脱自在に構成するものであり、この部分を上部側方パネル４３ａとし、これに伴い上部パネルの後方部分を上部後方パネル４３ｂとして区別している。
またこのようなコンテナ４１の上部には、後述する中継移送装置５の吐出口５１ｂから吐き出された刈取茶Ａをコンテナ４１の上部開口４１ａに案内するガイド体４６が設けられるものである。
【００２９】
また本発明では、剪枝作業を行う際、上記コンテナ４１を取り外さないで剪除枝幹Ａを収容部４の上部から畝間スペースＳに移送する形態を採るものであり、一例として図１、２、３に示すように、上部側方パネル４３ａを着脱自在に構成し、ここに後述する移送路１１の連絡移送部１２を取り付けるものである。すなわちこの実施の形態では、上部側方パネル４３ａを取り外して、この側部をコンテナ４１内における剪除枝幹Ａの吐出口４８とするものである。
【００３０】
次に中継移送装置５について説明する。このものは刈取茶Ａを茶刈機ユニット３の後方から収容部４の上部まで上昇移送するものであり、図３に示すように、茶刈機ユニット３の案内胴３３から収容部４の上部まで立ち上げられた中継ダクト５１によって構成される。この中継ダクト５１は、刈取茶Ａの受入口５１ａが茶刈機ユニット３の案内胴３３に接続されるとともに、吐出口５１ｂが収容部４のガイド体４６に接続され、受入口５１ａからファン２７による送風が吹き込まれて、刈取茶Ａを収容部４のガイド体４６まで上昇移送する。
【００３１】
次に剪除枝幹の移送構造について説明すると、この構造は移送路１１を主たる構成要素とするものであり、この移送路１１は、一例として図１、２、３に示すように、主にコンテナ４１内において剪除枝幹Ａを収容部４の上部から吐出口４８へと案内する連絡移送部１２と、この連絡移送部１２に接続され、剪除枝幹Ａを畝間スペースＳに落下させる排出移送部１３とを具えて成るものである。
【００３２】
連絡移送部１２は、上述したように剪除枝幹Ａの移送方向を収容部４の上部から吐出口４８に連絡するものであって、一例として図２に示すように、コンテナ４１の受入開口４１ａに面する受入側１２ａが上方に開口されるとともに、吐出口４８に面する吐出側１２ｂが側部に開口されて成る。なおこの実施の形態では連絡移送部１２は、コンテナ４１の前後に折り返し部１２ｃを有した移送板１２ｄを傾斜状態に取り付けて成るものである。
一方、排出移送部１３は、吐出口４８を経由してきた剪除枝幹Ａを、主にコンテナ４１の外部において畝間スペースＳまで移送するものであり、例えばステンレス板等によってダクト状に形成され、この実施の形態ではコンテナ４１の側部に設けられる。なお排出移送部１３の最終的な吐出端には、排出される剪除枝幹Ａの飛散を効果的に防止し、より確実に畝間スペースＳに排出するためのネット１３ａを設けるものである。
【００３３】
このように移送構造は、移送路１１を主要部材とし、収容部４のコンテナ４１等も含め、剪除枝幹Ａを収容部４の上部から畝間スペースＳまで移送する部材を総称するものである。
【００３４】
本発明の茶畝跨走型茶刈装置１は一例として後述のように構成されるものであり、以下この茶刈装置によって刈り取った剪除枝幹Ａの送り込み態様について説明する。なおこの説明にあたっては、主に茶刈機ユニット３として剪枝機ユニット３Ａを搭載することにより、剪枝装置として仕様設定した茶畝跨走型茶刈装置１について説明する。
【００３５】
（１）仕様変更
まず剪枝作業を行うに先立ち、茶刈装置を剪枝装置に仕様変更する。具体的には摘採機ユニット３Ｂを取り外して、剪枝機ユニット３Ａを取り付けるとともに、移送路１１を取り付ける。この移送路１１の取り付けにあたっては、例えばコンテナ４１の上部側方パネル４３ａが取り外されて、連絡移送部１２が、コンテナ４１の受入開口４１ａと吐出口４８を連絡するように、コンテナフレーム４２に対して取り付けられる。次いで排出移送部１３を、この連絡移送部１２の吐出側１２ｂに接続するように、コンテナフレーム４１に取り付ける。
【００３６】
（２）剪除開始
このように仕様変更を終了した後、作業者が茶畝跨走型茶刈装置１に搭乗し、原動機２２を起動する。そして作業すべき茶畝Ｔの高さに応じて昇降フレーム２０Ｃを適宜昇降させ、剪枝機ユニット３Ａにおけるロータリー刃３０Ａの位置合わせを行った後、茶畝跨走型茶刈装置１を茶畝Ｔに入れて剪枝作業を開始する。
【００３７】
（３）枝幹の送り込み
剪枝作業を開始すると、ファン２３によって生起された圧力風が、送風ダクト２４、ホース３１５を通じてチャンバ３１に供給される。そしてチャンバ３１内を進行した圧力風は、導風板３１２によって分流され、更に風向板３１３によってその流路をロータリー刃３０Ａの後方側に進行するように変換される。
このためロータリー刃３０Ａによって刈り取られた剪除枝幹Ａは、この送り込み風Ｗによって引き寄せられるとともに、そのまま案内胴３３更には中継移送装置５へと送り込まれ、収容部４の上部まで上昇移送される。
そして収容部４の上部には、通気孔を有したガイド体４６が取り付けられているため、ここで移送風が効果的に外部に放出され、剪除枝幹Ａがほぼ自然落下状態で受入開口４１ａからコンテナ４１の内部に送られる。
そして剪除枝幹Ａは、コンテナ４１内部において、連絡移送部１２によって受入開口４１ａから側方の吐出口４８へと移送方向が変更され、排出移送部１３に至り、その吐出口から走行装置２１後方の畝間スペースＳに排出される。
【００３８】
【発明の効果】
本発明によれば、ロータリー刃３０Ａを適用した剪枝機ユニット３Ａを具えた茶畝跨走型茶刈装置１において、従来行われることのなかった剪除枝幹Ａをロータリー刃３０Ａの後方に送り込むことを可能とし、剪枝機ユニット３Ａの後方に位置する中継移送装置５によっていったん上昇移送させた後、ダクト内を通して畝間スペースＳに送り込むことができる。この結果装置全体の持つ機能を活かし、走行装置２１上等に剪除枝幹Ａが堆積してしまうことを回避することができる。
【図面の簡単な説明】
【図１】  本発明の茶畝跨走型茶刈装置の一例を示す前方斜視図である。
【図２】  同上後方斜視図である。
【図３】  同上側面図（ａ）並びに背面図（ｂ）である。
【図４】  剪枝機ユニットを示す斜視図である。
【図５】  チャンバ及び案内胴を透視して示す平面図（ａ）並びに正面図（ｂ）である。
【図６】  通気口の形状例を示す平面図である。
【図７】  摘採機ユニットを示す斜視図である。
【図８】  既存の剪枝機ユニットを示す斜視図である。
【符号の説明】
１      茶畝跨走型茶刈装置
２      走行機ユニット
３      茶刈機ユニット
３Ａ    剪枝機ユニット
３Ｂ    摘採機ユニット
４      収容部
５      中継移送装置
１１    移送路
１２    連絡移送部
１２ａ  受入側
１２ｂ  吐出側
１２ｃ  折り返し部
１２ｄ  移送板
１３    排出移送部
１３ａ  ネット
２０    フレーム
２０Ａ  脚部フレーム
２０Ｂ  上部フレーム
２０Ｃ  昇降フレーム
２１    走行装置
２２    原動機
２３    ファン
２７    ファン
２４    送風ダクト
２５    操縦席
２６    コントロールボックス
３０    刈刃
３０Ａ  ロータリー刃
３０Ｂ  バリカン刃
３１    チャンバ
３１Ｌ  チャンバ
３１Ｒ  チャンバ
３１１  通気口
３１２  導風板
３１３  風向板
３１４  給気口
３１５  ホース
３２    案内フレーム
３２ａ  受け刃
３３    案内胴
３４    軸受け
３５    ジョイント
３６    オイルモータ
３７    減速機
３８    分風管
３８ａ  吹出管
３８ｂ  吹出口
４１    コンテナ
４１ａ  受入開口
４２    コンテナフレーム
４３    金属パネル
４３ａ  上部側方パネル
４３ｂ  上部後方パネル
４６    ガイド体
４８    吐出口
５１    中継ダクト
５１ａ  受入口
５１ｂ  吐出口
Ａ      刈取茶、剪除枝幹
Ｓ      畝間スペース
Ｔ      茶畝
Ｗ      送り込み風
【図１】
0004616488.tif 000002
【図２】
0004616488.tif 000003
【図３】
0004616488.tif 000004
【図４】
0004616488.tif 000005
【図５】
0004616488.tif 000006
【図６】
0004616488.tif 000007
【図７】
0004616488.tif 000008
【図８】
0004616488.tif 000009